(57)【要約】  本機構は、本体部分（１１）と、外周張出部（１５）を包含し、移行部分（１４）によって本体部分（１１）に結合された頸部（１３）と、外周外側リブ（２５）を担持する蓋（２０）とを備える缶に適用される。保持リング（４０）が、外周外側リブ（２５）上に着座し、外周外側リブ（２５）および外周張出部（１５）を囲繞し、前記外周張出部（１５）の下側に固定され、吊下リング（５０）が、把持ハンドル（６０）を担持し、頸部（１３）を囲繞し、保持リング（４０）を上方向に固定する。シール片（５６）が、破壊可能な連結手段（５６ｃ）によって吊下リング（５０）に連結され、吊下リング（５）の囲繞壁（５４）が操作されるのを防止し、その囲繞壁（５４）は、保持リング（４０）の固定を解除するために弾性変形させることができる。
2015519266.tif 000002
【特許請求の範囲】
【請求項１】
本体部分（１１）と、前記缶の上側開口（Ａ）を画成する上側端縁部（１３ａ）を有し、外周張出部（１５）を包含する頸部（１３）と、前記本体部分（１１）と前記頸部（１３）とを結合する移行部分（１４）と、前記上側開口（Ａ）に嵌め込まれ、外周外側リブ（２５）を担持する上側縁部（２２ａ）を有する外周管状部分（２２）を備える蓋（２０）とを具備する缶のための閉止および吊下機構おいて、前記外周外側リブ（２５）上に着座し保持され、前記外周外側リブ（２５）を上方および側方から囲繞する上側円環部分（４１）、前記外周外側リブ（２５）および前記外周張出部（１５）を外側から締めて囲繞し、前記外周張出部（１５）の下側に着座し軸方向に固定される内周突起部（４３）を包含する外周裾部分（４２）、および下側管状突起部（４８）を有する、プラスチック材製の保持リング（４０）と、把持ハンドル（６０）を担持し、前記頸部（１３）を囲繞し、前記外周張出部（１５）および前記移行部分（１４）に当接してそれぞれ上方向および下方向に固定され、囲繞壁（５４）によって外側を囲まれた外周上側チャネル（５３）であり、前記保持リング（４０）の前記下側管状突起部（４８）がその中に嵌め込まれ上方向に固定される外周上側チャネル（５３）を呈する吊下リング（５０）であって、前記囲繞壁（５４）が、前記下側管状突起部の上方への移動を解除しそれによって前記蓋を取り外せるようにするために、外方へ弾性変形することができ、前記囲繞壁（５４）が、その上側で、破壊可能な連結手段（５５）を介して、シール片（５６）に一体に結合され、前記シール片（５６）は、取外し可能であり、軸方向スロット（５６ａ）が切り込まれ、前記保持リング（４０）の前記外周裾部分（４２）の下側領域の外周を取り巻いている、プラスチック材製の吊下リング（５０）とを具備することを特徴とする機構。
【請求項２】
前記垂下外周裾部（４２）が、内側に、前記蓋（２０）の前記外周外側リブ（２５）の前記半径方向外側縁部（２５ｂ）の下側に締まって着座するように構成された周縁畦（４４）をさらに包含することを特徴とする、請求項１に記載の機構。
【請求項３】
前記吊下リング（５０）の前記下側突起部（５２）が、積み重ねられた前記吊下リング（５０）の中の直ぐ下に配置された別の吊下リング（５０）の前記外周上側チャネル（５３）の内側に嵌め込まれることを特徴とする、請求項１または２に記載の機構。
【請求項４】
前記下側管状突起部（４８）が、少なくとも１つの帯板部分によって形成され、その延在方向に沿って、上方に面し、下側が斜面として構成された外側下側歯（４８ａ）を包含し、前記囲繞壁（５４）に、下方に面し、前記下側管状突起部（４８）の前記外側下側歯（４８ａ）に対するストッパとして働いて前記保持リング（４０）の上方への軸方向移動を防止する内側上側歯（５４ａ）が設けられていることを特徴とする、請求項１〜３のいずれか一項に記載の機構。
【請求項５】
前記外周裾部分（４２）に、外側陥凹（４２ａ）が設けられ、前記外側陥凹（４２ａ）の内部に、前記シール片（５６）の前記軸方向スロット（５６ａ）に隣接する、前記シール片（５６）の拡張端部（５６ｂ）が緩く収容されていることを特徴とする、請求項１〜４のいずれか一項に記載の機構。
【請求項６】
前記吊下リング（５０）の前記囲繞壁（５４）が、前記保持リング（４０）の前記外周裾部分（４２）の下側縁部（４２ｂ）に対して軸方向間隙を維持する上側縁部（５４ｂ）を有し、前記シール片（５６）を取り除いた後、前記軸方向間隙に手作業レバー手段を十分に導入することができることを特徴とする、請求項１〜５のいずれか一項に記載の機構。
【請求項７】
前記蓋（２０）の前記外周外側リブ（２５）が、下側が開いた部分的に管状の形を有し、前記外周管状部分（２２）から外側に突出した円環段部（２６）によって、前記外周管状部分（２２）の前記上側縁部（２２ａ）に結合されている半径方向内側縁部（２５ａ）と、前記半径方向内側縁部（２５ａ）から離隔する半径方向外側縁部（２５ｂ）とを有し、前記外周外側リブ（２５）が、その内部に環状ガスケット（３０）を担持し、前記ガスケット（３０）が、前記缶の前記上側開口（２０）に前記蓋（２０）が嵌め込まれ、前記頸部（１３）の前記外周張出部（１５）に前記円環段部（２６）が着座させられたとき、前記頸部（１３）の前記外周張出部（１５）に着座し押し付けられることを特徴とする、請求項１〜６のいずれか一項に記載の機構。
【請求項８】
外周外側リブ（２５）では、その前記半径方向内側縁部（２５ａ）および前記半径方向外側縁部（２５ｂ）の、前記缶の軸方向での投影が、前記頸部（１３）の前記外周張出部（１５）の外形の半径方向内側半分および半径方向外側半分とそれぞれ交差する配置になり、前記外周外側リブ（２５）の前記半径方向内側縁部（２５ａ）および前記半径方向外側縁部（２５ｂ）が、相互関係において、前記頸部（１３）の前記外周張出部（１５）の外形の上側半分に対して交差する整列線を形成することを特徴とする、請求項７に記載の機構。
【請求項９】
前記環状ガスケット（３）が、下側で、前記蓋（２０）の前記外周外側リブ（２５）の前記半径方向内側縁部（２５ａ）と前記半径方向外側縁部（２５ｂ）によって形成される整列線に接し、またはそれと交差することを特徴とする、請求項８に記載の機構。
【請求項１０】
前記保持リング（４０）が、その前記上側円環部分（４１）に、前記保持リング（４）の外側輪郭に対して半径方向に離隔配置され、前記上側円環部分（４１）と共に外周段部（４６ａ）を形成する第１の上側管状突起部（４６）をさらに包含し、前記外周段部（４６ａ）の上には、積み重ねられた前記缶の中の第１の缶に載置される第２の同一の缶の前記下側外周縁部（１１ａ）が着座させられることを特徴とする、請求項１〜９のいずれか一項に記載の機構。
【請求項１１】
前記保持リング（４０）が、その前記上側円環部分（４１）に、前記第１の上側管状突起部（４６）に対して半径方向に離隔配置された第２の上側管状突起部（４７）をさらに包含し、前記保持リング（４０）の前記下側管状突起部（４８）が、それぞれの蓋（２）にそれぞれが合体済みの積み重ねられた保持リング（４０）の中の第１の保持リングの下に配置された第２の保持リング（４０）の前記第１の上側突起部（４６）の上に着座し、前記第２の保持リング（４）の前記第２の上側突起部（４７）が、前記第２の保持リング（４０）に合体された前記蓋（２）の前記外周管状部分（２２）の下側領域に対する外側案内ストッパとして働くことを特徴とする、請求項１０に記載の機構。
【請求項１２】
前記吊下リング（５０）が、外側、その前記下側突起部（５２）の両反対側領域に、拡張された頭部（５５ａ）がそれぞれに設けられた２つの半径方向ピン（５５）を包含し、前記把持ハンドル（６０）が、前記両半径方向ピン（５５）上でそれぞれ枢動可能な両端部（６１）を設けられ、前記頸部（１３）に対して側方外側の位置に留まる非使用位置と、前記缶の上方に位置を占める使用位置との間で、前記２つの半径方向ピン（５５）の共通軸の周りに角度的に移動可能であることを特徴とする、請求項１〜１１のいずれか一項に記載の機構。
【請求項１３】
前記把持ハンドル（６）の各端部（６１）には、貫通開口（６３）が設けられ、前記貫通開口（６３）を通って、それぞれの半径方向ピン（５５）が回転可能に支持され、前記貫通開口（６３）が、前記半径方向ピン（５５）を締めた状態で回転可能に支持することを満足する幅と、前記把持ハンドル（６０）が非使用位置にある状態および前記把持ハンドル（６０）が非使用位置から使用位置まで角度的に移動している状態の両方において前記半径方向ピン（５５）を回転可能に支持するのに十分な、前記把持ハンドル（６０）の長手方向の長さとを有することを特徴とする、請求項１２に記載の機構。
【請求項１４】
各貫通開口（６３）が、平行で直線の対向側縁部（６３ａ）を有し、前記側縁部（６３ａ）に対して、前記それぞれの半径方向ピン（５５）の断面の両反対側領域が締まって着座していることを特徴とする、請求項１３に記載の機構。
【請求項１５】
前記貫通開口（６３）が、外側端縁部（６３ｂ）を呈し、前記把持ハンドル（６０）が使用位置にあり前記缶を吊下しているとき、前記外側端縁部（６３ｂ）に対して前記それぞれの半径方向ピン（５５）が着座し、各半径方向ピン（５５）が、前記貫通開口（６３）の幅より大きい外形を有する拡張頭部（５５ａ）を包含し、前記貫通開口（６３）のそれぞれが、前記外側端縁部（６３ｂ）の反対側に、拡張孔（６４）に開いた内側端部を有し、前記拡張孔（６４）が、前記拡張頭部（５５ａ）または前記貫通開口（６３）を僅かに弾性変形させれば前記半径方向ピン（５５）の前記拡張頭部（５５ａ）を通過させることができるように寸法設定された外形を有することを特徴とする、請求項１４に記載の機構。
【発明の詳細な説明】
【技術分野】
【０００１】
本発明は、通常、円形断面からなり底壁を伴う管状本体部分と、本体部分の外形より小さい外形を有する上側頸部と、本体部分と頸部とを結合する移行部分とを備える板金製の缶であって、着脱蓋がその中に嵌め込まれる缶の上側開口の外形を形成する端縁部を有する缶に用いられる閉止および吊下機構に関する。
【背景技術】
【０００２】
円形または多角形断面を有し、底壁によって下方を閉止され、移行部分によって上方を頸部に結合された本体部分を備え、頸部ではその断面積および高さが共に本体部分のそれらに対して減少している板金製の管状缶が、従来技術によって周知である。
【０００３】
缶の上側領域に移行部分を設けることによって、缶の構造抵抗を著しく増加させることができ、上側円環部分を無くすことが可能になり、缶の上側開口が頸部の内側断面に対応する。この構造では、缶、すなわち頸部の上側端縁部は、缶の上側開口を取り巻き、缶の上側端縁部と共に着脱蓋を着座させる座面を形成する巻込部または外周張出部を形成するために湾曲させ、さもなければ加工すれば十分であり、その着脱蓋は、頸部の内側、上側開口内に干渉状態で締まって嵌め込まれる外周管状部分を合体した鏡板部分を備え、前記外周管状部分は、半管状形の巻込部または外周張出部を形成するように湾曲させ、さもなければ加工した自由上側縁部を有し、その半管状形の巻込部または外周張出部は、下側で開口し、缶の上側開口に蓋の外周管状部分を嵌め込んだとき、頸部の外周張出部に着座し押し付けられる環状ガスケットを収納している。
【０００４】
この従来技術構造は、上側円環部分を無くすことを可能にし、３．６リットル缶に対してたとえば約０．２１ｍｍ〜約０．２７ｍｍなど、通常の厚さの板金を用い、頸部の断面に対応する断面を有する最初の管状本体を形成することを可能にする。この構造は、文書ＰＣＴ／ＢＲ２０１１／０００１６６（同一譲受人）、ＤＥ４０２１２１１Ａ１、およびさらにＦＲ２．１０４．６７３に開示され、ＦＲ２．１０４．６７３では頸部なしの缶を有する。
【０００５】
前述の文書ＰＣＴ／ＢＲ２０１１／０００１６６に記載され例示されているように、これら缶は、蓋の外周外側リブを頸部の外周張出部に当接着座させて保持するために、蓋の外周外側リブ上に着座させる上側円環部分と、蓋の外周外側リブおよび頸部の外周張出部を囲繞し、頸部の外周張出部下側に着座して軸方向に固定される内周突起部を包含する垂下裾部分とを有するプラスチック材製の保持リングをさらに含む閉止要素を有し得る。
【０００６】
その保持リングは、缶を開けその中味に接近したことを明らかにせずに蓋を外すのが難しくなるように構成することはできるが、既知の構造は、効果的で簡単な構造の不正開封防止式シールを実現しておらず、強制的に壊すことによって初めて、最初に缶を開けることが可能になり、それが明白になる。
【０００７】
本明細書で考察されるタイプの缶にする既知の解法の別の短所は、それら解法が、構造が簡単で、比較的費用が低減し、缶の本体部分への組付けが容易である吊下機構であって、保持リングと有効に連携し、それによって、保持リングと共に不正開封防止式シールを形成し、かつ吊下機構と機能的に連携しない要素を設定して保持リング内にシールを形成するような通常の複雑で高価な構造を防止する、吊下機構を提示していないことから生じる。
【０００８】
既知の解法のさらに別の短所は、前記保持リングおよび吊下リングをそれぞれ蓋の外周リブ内および缶の頸部の周りに機械的に組み付ける装置内に前記リング類を送り込むための装填器内で、保持リング同士、および吊下リング同士を相互固定することなしに安定して積み重ねることを可能にする必要があることに関する。
【先行技術文献】
【特許文献】
【０００９】
【特許文献１】ＰＣＴ／ＢＲ２０１１／０００１６６
【特許文献２】ＤＥ４０２１２１１Ａ１
【特許文献３】ＦＲ２．１０４．６７３
【特許文献４】ＰＩ  １１０００１０−４
【発明の概要】
【発明が解決しようとする課題】
【００１０】
既知の解法の限界によって、本発明の目的は、簡単な構造を有する、断面積が縮小する頸部が設けられたタイプの缶用の閉止および吊下機構であって、高度の締まりを有し、蓋を最初に開封したことを明白にすることができるシールを実現する締まった安全な缶の閉止のみでなく、蓋を閉じた状態または蓋を取り外した状態のどちらにおいても缶を容易に手で吊下できることも可能にする閉止および吊下機構を提供することになる。
【００１１】
本発明の別の目的は、上記のような閉止および吊下機構であって、閉止手段および吊下手段の蓋および缶それぞれにおける機械化組立をより容易かつより確実にする閉止および吊下機構を提供することである。
【００１２】
本発明のさらに別の目的は、上記のような閉止および吊下機構であって、蓋が缶の上側開口に嵌め込まれて閉じられるとき蓋に加えられる力を、蓋の外周外側リブに受けさせない閉止および吊下機構を提供することができる。
【課題を解決するための手段】
【００１３】
本閉止および吊下機構は、本体部分と、缶の上側開口を画成する上側端部を有し、外周張出部を包含する頸部と、本体部分と頸部とを結合する移行部分と、上側開口に嵌め込まれ、外周外側リブを担持する上側縁部を有する外周管状部分を備える蓋とを具備する缶に適用される。
【００１４】
本発明によれば、閉止および吊下機構は、外周外側リブ上に着座し保持され、その外周外側リブを上方および側方から囲繞する上側円環部分、および、外周外側リブおよび外周張出部を外側から締めて囲繞し、外周張出部の下側に着座し軸方向に固定される内周突起部を包含する垂下裾部分を有する、プラスチック材製の保持リングと、頸部を囲繞し、把持ハンドルを担持し、外周張出部および移行部分に当接してそれぞれ上方向および下方向に固定され、囲繞壁によって外側を囲まれた外周上側チャネルであり、保持リングの下側管状突起部がその中に嵌め込まれ上方向に固定される外周上側チャネルを有する吊下リングであって、囲繞壁が、前記下側管状突起部の上方への移動を解除しそれによって蓋を取り外せるようにするために、外方へ弾性変形することができ、囲繞壁が、その上方に、破壊可能な連結手段を用いて、シール片に一体に結合され、そのシール片が、保持リングの垂下裾部分の下側領域の外周を取り巻いている、プラスチック材製の吊下リングとを具備する。
【００１５】
上記の構造では、保持リングによって蓋を軸方向に固定し、最初に開封したことを明らかにするシールを実現すると共に、簡単な構造によって缶の閉止を達成することができるようになり、その構造は、保持リングが吊下リングと協働することによって明確化され、その吊下リングは、把持ハンドルを担持し、また、保持リングを解放して蓋を取り外すことを可能にするために部分的に破壊可能であり、その取外しは、好ましくは、シール片を取り外した後に、保持リングの垂下裾部分の下側領域と吊下リングの囲繞壁との間に挿入される簡単なレバー工具を使用することによって行われる。
【００１６】
本発明が、その実施形態の例として提示される添付図面を参照して、以下に説明される。
【図面の簡単な説明】
【００１７】
【図１】缶の頸部の外周張出部の下側に周縁を固定された保持リングによって閉止状態に保持されている蓋によって閉止された状態にある缶の上面図である。
【図２】蓋が閉止位置にあり、作動状態の把持ハンドルが部分的に切断されており、第１の缶の上部に積み重ねられた第２の同一の缶の底部がさらに示されている、図１の線IIＡ-IIＡに沿った図１の缶の長手方向部分断面図である。
【図２Ａ】図２に示された缶の上側部分の拡大詳細図である。
【図２Ｂ】図２Ａと同様な図であるが、非使用状態にあり、缶の頸部の周りに位置する把持ハンドルをさらに示す、図１の線IIＢ-IIＢに沿った、缶の上側部分の断面図である。
【図３】把持ハンドルの使用および非使用位置に対応する同ハンドルの半径方向枢動ピンの１つの断面および相対配置を、把持ハンドルの端部の１つの貫通開口内に破線でさらに示す、把持ハンドルの部分前視断面図である。
【図４】ハンドルが、それぞれ非使用位置および使用位置にある、図１、２、２Ａ、および２Ｂの容器の部分側視断面図である。
【図５】ハンドルが、それぞれ非使用位置および使用位置にある、図１、２、２Ａ、および２Ｂの容器の部分側視断面図である。
【図６】把持ハンドルを受け入れる前、缶の頸部の周りに吊下リングを装着するための機械の装填器に送り込む用意ができた、積み上げられた吊下リングの部分直径断面図である。
【図７】蓋の機械化閉止を行うために、上記と同様に積み重ねられている数組の保持リング＋蓋が、封入製品を充填済みの缶に前記組を組み付けるための機械の装填器に送り込まれる状態での、それぞれの蓋にそれぞれが既に組み付けられている積み重ね保持リングの部分直径断面図である。
【発明を実施するための形態】
【００１８】
上記で説明し添付図面に示すように、本発明によって提案される閉止および吊下機構は、図面にはその形状は示されていないが、一般に円形断面を有するが多角形でもよい、通常ブリキの板金製の缶１０に適用される。
【００１９】
管形状の缶１０は、通常は２重巻締によって底壁１２の外周縁部が取り付けられる下側端縁部１１ａを有する本体部分１１と、本体部分１１の外形に類似し、それより縮小され、それと同心の外形を有し、缶１０の上側開口「Ａ」の外形を画成する上側端縁部１３ａを有する頸部１３と、缶１０の軸に対して傾斜する縦断面を有し、本体部分１１と頸部１３とを結合する移行部分１４とを備える。
【００２０】
頸部１３の上側端縁部１３ａは、外周張出部１５を包含する。図示の状態では、外周張出部１５は、管状断面の巻込部の形態を取り、上側端縁部１３ａの領域で板金を半径方向外方へ曲げることによって得られる。図面では、巻込部の断面は円形であるが、様々な断面を有する外周張出部を形成することができ、それは管状であってもなくてもよいことを理解されたい。
【００２１】
本体１１の成形は、頸部１３の断面に対応する断面を有する管状体を形成することによって開始され、次いで、当技術分野で既知の方法によって、本体部分１１および移行部分１４を形成するように、その管状体をその高さの一部分の全体に亘って半径方向に拡張する。好ましくは、移行部分１４は、下方で、凸弧１４ａ状態の連結領域によって本体部分１１に結合され、上方で、凹弧１４ｂ状態の連結領域によって頸部１３に結合されるようになる。
【００２２】
缶１０は、上側開口Ａの断面積の大部分を占める鏡板部分２１を呈し、頸部１３内側の上側開口Ａに、締まった状態で干渉して嵌め込まれるように構成され寸法設定された外周管状部分２２を包含する打抜板金製の単品に成形された蓋２０をさらに備える。
【００２３】
前記外周管状部分２２は、頸部１３の上側端縁部１３ａに設けられた外周張出部１５上に着座させるように構成された外周外側リブ２５が包含された上側縁部２２ａを呈する。
【００２４】
図示のように、蓋２０は、好ましくは、垂下裾部分２１ａを包含する鏡板部分２１を伴って形成され、垂下裾部分２１ａは、通常、円錐台形であり、鏡板部分２１を外周管状部分２２から半径方向に隔てる外周チャネル２４を外周管状部分２２と共に形成し、それによって、鏡板部分２１が、外周チャネル２４の底壁２４ａに対して高い面内に配置される。
【００２５】
本発明の一態様によれば、外周外側リブ２５は、下側が開いた部分的に管状の外形を有し、外周管状部分２２から外側に突出した円環段部２６によって、蓋２０の前記外周管状部分２２の上側縁部２２ａに結合されている半径方向内側縁部２５ａと、半径方向内側縁部２５ａから離隔する半径方向外側縁部２５ｂとを有する。外周外側リブ２５は、その内部に、好ましくは樹脂索の形態の環状ガスケット３０を担持し、その樹脂索は、たとえば、蓋２０の外周外側リブ２５の内部に鋳込まれた「プラスチゾル」である。
【００２６】
外周外側リブ２５内側の環状ガスケット３０は、缶の上側開口Ａに蓋２０が嵌め込まれ、頸部１３の外周張出部１５上に円環段部２６が着座させられたとき、頸部１３の外周張出部１５に着座し押し付けられるように構成されている。
【００２７】
図面は、円弧の断面を有する部分的管状巻込みの形態の外周外側リブ２５を１つだけ示しているが、完全な円弧以外の断面を用いることができることを理解されたい。
【００２８】
図示の実施形態によれば、外周外側リブ２５の半径方向内側縁部２５ａおよび半径方向外側縁部２５ｂの、缶の軸方向での投影は、頸部１３の外周張出部１５の外形の半径方向内側半分および半径方向外側半分にそれぞれ交差する配置になる。
【００２９】
さらに図示の実施形態によれば、外周外側リブ２５の半径方向内側縁部２５ａおよび半径方向外側縁部２５ｂは、相互関係において、頸部１３の外周張出部１５の外形の上側半分に接するか僅かに交差する整列線を形成する。この構造形態によって、外周張出部１５の上側部分が外周外側リブ２５の外形下側の内部に僅かに入り込んで環状ガスケット３０を圧迫することが可能になり、蓋２０が缶の上側開口Ａに嵌め込まれたとき、蓋２０の閉止にとって高度の締まりが確実になる。
【００３０】
環状ガスケット３０と外周張出部１５の上側部分とをある程度干渉させることを目的にして、環状ガスケット３０は、下側で、蓋２０の外周外側リブ２５の半径方向内側縁部２５ａと半径方向外側縁部２５ｂとを含む直線に接し、またはそれと交差するように構成されている。
【００３１】
図面に示されるように、主題の閉止機構は、蓋２０の外周外側リブ２５上に着座し保持され、前記外周外側リブ２５を上方および側方から囲繞する上側円環部分４１と、上側円環部分４１から垂下し、蓋２０の外周外側リブ２５および頸部１３の外周張出部１５を側方から締めて囲繞し、頸部１３の外周張出部１５の下に着座し軸方向に固定される内周突起部４３を包含する外周裾部分４２とを有し、プラスチック材製の単体の保持リング４０をさらに備える。
【００３２】
図示の実施形態では、内周突起部４３は、斜面の形態の縦断面を呈し、その斜面は、缶の本体１０に対して蓋２０を軸方向に確実に固定するために、頸部１３の外周張出部１５の下に作用する歯を形成するように、下方かつ半径方向内方へ傾斜している。
【００３３】
保持リング４０が蓋２０に確実に固定されたままにするために、外周裾部４２は、その内側に、外周外側リブ２５の半径方向外側縁部２５ｂの下に締まって着座するように構成された周縁畦４４をさらに包含し得る。したがって、保持リング４０は、缶詰にする製品で缶を充填すると、蓋２０が缶の上側開口Ａに嵌め込まれる前に蓋２０に合体される。
【００３４】
図示のように、外周裾部分４２には、その外周裾部４２の下側縁部４２ｂから外周裾部４２の高さの一部分に、外側陥凹４２ａが設けられ、その機能はさらに以下に説明される。
【００３５】
図示の構造上の実施形態では、保持リング４０は、その上側円環部分４１に、保持リング４０の外側輪郭に対して半径方向に離隔配置された第１の上側管状突起部４６をさらに包含し、それによって、上側円環部分４１と共に外周段部４６ａを形成し、その外周段部の上に、別の同一の缶の下側外周縁部１１ａ、すなわち底壁１２の２重巻締を着座させ、その缶は、図２に示すように、それら缶積み重ねた中の前のものの上に載置される。
【００３６】
保持リング４０は、その上側円環部分４１に、第１の上側環状突起部４６に対して半径方向に離隔配置され、第１の上側環状突起部４６の高さに一般的に勝る高さを有する第２の上側環状突起部４７をさらに包含することができ、その機能は、さらに以下に説明される。
【００３７】
本発明によれば、保持リング４０の外周裾部４２は、単一の円周片または複数の円周裾部分として形成され、その延在方向に沿って外側下側歯４８ａを有する下側管状突起部４８をさらに包含し、その歯は、上方に面し、下側が斜面の形態に構成され、その機能はさらに以下に説明される。
【００３８】
さらに本発明によれば、本機構は、さらに、プラスチック材製の吊下リング５０を備え、その吊下リング５０は、通常、缶の成形後、充填装置へ缶を送出する前に、缶の頸部１３を取り巻くように装着される。吊下リング５０は、外周張出部１５および移行部分１４に当接して、それぞれ、上方向および下方向に固定され、缶のこれら２つの部分の間で軸方向に保持されたままになる。
【００３９】
例示されている実施形態では、吊下リング５０は、外周張出部１５の下に着座する端縁部５１ａを有する上側突起部５１と、缶の移行部分１４の下側領域に隣接して配置され、その領域に着座することができる端縁部５２ａを有する下側突起部５２とを包含する。吊下リング５０は、移行部分１４に下方向に当接して着座しそれに対して固定されるように構成された内側下側部分５０ａを有する。
【００４０】
吊下リング５０は、内側上側歯５４ａが設けられた囲繞壁５４によって外側を囲まれた外周上側チャネル５３を呈し、内側上側歯５４ａは、下方に面し、上側を斜面として構成することができる。外周上側チャネル５３の内部には、保持リング４０の下側管状突起部４８が嵌められ、上向きに保持されている。外周上側チャネル５３内への下側管状突起部４８の嵌め込みは、充填後に缶を閉止する際に初めて、保持リング４０を既に担持する蓋２０を缶の上側開口Ａ内に着座させることによって達成される。下側管状突起部４８の前記嵌合は、その外側下側歯４８ａが吊下リング５０の囲繞壁５４の内側上側歯５４ａの脇を通過することによって達成され、その囲繞壁５４は、外方へ弾性変形し、休止位置へ戻り、そのときその休止位置で、囲繞壁５４の歯５４ａが、下側管状突起部４８の外側下側歯４８ａのためのストッパとして働く。この機構が、保持リング４０が軸方向上方へ移動し、それによって蓋２０が外れることを防止する。
【００４１】
本明細書で提案された構造では、囲繞壁５４が、その上側で、破壊可能な連結手段５５ｃによって、取外し可能なシール片５６に一体に結合され、そのシール片５６は、軸方向スロット５６ａが切り込まれ、保持リング４０の外周裾部分４２の下側領域の外周を取り巻いている。シール片５６は、その軸方向スロット５６ａに隣接する拡張端部５６ｂを有し、シール片５６は、外周裾部４２の外側陥凹４２ａの内部に緩く収容されている。
【００４２】
したがって、シール片５６を取り外した後、吊下リング５０の囲繞壁５４は、囲繞壁５４の内側半径方向歯５４ａと保持リング４０の下側管状突起部４８の外側半径方向歯４８ａとの間の係合を解除し、前記下側管状突起部４８の上方への移動および蓋２０の取外しを可能にするために、外方へ弾性変形させることができる。
【００４３】
シール片５６を取り外した後、蓋２０を容易に開放できるようにするために、吊下リング５０の囲繞壁５４が、保持リング４０の外周裾部分４２の下側縁部４２ｂに対して軸方向間隙を維持する上側縁部５４ｂを有し、その軸方向間隙は、シール片５６を取り外した後、手動レバー手段を十分に導入することができる。
【００４４】
したがって、蓋２０を外すために、最初に、シール片５６の拡張端部５６ｂを手作業で壊す必要があり、次いで、その結果、シール片５６を完全に残したままで、吊下リング５０の囲繞壁５４を外方へ弾性変形させることができ、それによって、半径方向歯５４ａと４８ａとの係合が解除され、保持リング４０の下側管状突起部４８を、保持リング４０および蓋２０と共に軸方向上方へ移動させることが可能になり、したがって缶を開放することが可能になる。
【００４５】
したがって、初めて缶の開口を行うことを可能にするには、吊下リング５０のシール片５６を壊すことが必要であり、そのような破壊は、缶閉止の不正開封を確実に明らかにする。
【００４６】
さらに本発明によれば、吊下リング５０は、外側で、下側突起部５２の、両反対側の領域に、通常一体に、２つの半径方向ピン５５を包含し、そのそれぞれに、好ましくは、それぞれ拡張された頭部５５ａが設けられている。吊下機構は、ほぼ「Ｕ」字形であり、プラスチックなどの任意の適切な材料で形成され、半径方向ピン５５でそれぞれ枢動する両端部６１と、好ましくは拡張された中央部分６２とを有する把持ハンドル６０をさらに備え、把持ハンドル６０は、缶の頸部１３および吊下リング５０に対して側方外側の位置に、通常、頸部１３および吊下リング５０の周長の半分に対応して留まる非使用位置と、缶の上部に位置を占める使用位置との間で、両半径方向ピン５５の共通軸の周りに角度的に移動させることができ、ハンドルの使用位置が、図４および５に示されている。
【００４７】
把持ハンドル６０の好ましくは拡張された各端部６１には、貫通開口６３が設けられ、それを通して、吊下リング５０のそれぞれの半径方向ピン５５が回転可能に支持されている。貫通開口６３は、把持ハンドル６０の延在方向に垂直な方向の幅であって、半径方向ピン５５を締めた状態で、回転可能に同方向に支持することを満足する幅と、把持ハンドル６０が非使用位置にある状態および把持ハンドル６０が非使用位置から使用位置まで角度的に移動している状態の両方において半径方向ピン５５を回転可能に支持するのに十分な長さを、把持ハンドル６０の長手方向に有する。
【００４８】
把持ハンドル６０の各端部６１の貫通開口６３は、平行で直線の対向側縁部６３ａを有し、それら側縁部６３ａに対して、それぞれの半径方向ピン５５の全体的に円形の断面の両反対側領域が締まって着座している。
【００４９】
貫通開口６３は、外側端縁部６３ｂをさらに呈し、図３および５に示すように、把持ハンドル６０が使用位置にあり缶を吊下しているとき、その外側端縁部６３ｂに対してそれぞれの半径方向ピン５５が着座している。
【００５０】
適切に機能するために、各半径方向ピン５５は、貫通開口６３の幅より大きい外形を有する拡張頭部５５ａを包含し、それぞれの貫通開口６３は、外側端縁部６３ｂの反対側に、通常、拡張頭部５５ａまたは貫通開口６３を僅かに弾性変形させることによって、半径方向ピン５５の拡張頭部５５ａを通過させることができるように寸法設定された外形を有する拡張孔６４に開いた内側端部を有する。
【００５１】
本明細書には例示されていないが、同一譲受人のブラジル特許出願ＰＩ  １１０００１０−４に定義されているように、把持ハンドル６０は、平行で直線の対向側縁部を呈する各貫通開口６３を有し得るが、各半径方向ピン５５は、把持ハンドル６０が非使用位置にあるとき各それぞれの貫通開口６３の対向縁部と協働して、把持ハンドル６０をその位置に安定させることができるように寸法設定された多角形断面を有してもよいことを理解されたい。
【００５２】
吊下リング５０が、缶の外周張出部１５から軸方向に離隔して配置されているので、把持ハンドル６０の各端部６１の貫通開口６３は、把持ハンドル６０を２つの半径方向ピン５５の軸に対して半径方向に変位させることができるように、把持ハンドル６０に長手方向に画成された楕円スロットの形を取り、それによって、前記ハンドルが非使用位置と使用位置との間で移動するとき、頸部１３の外周張出部１５または保持リング４０といかなる干渉接触もさせないように、前記ハンドルの角度移動の半径が増加するようになっている。
【００５３】
図６に示されるように、吊下リング５０は、本明細書で考察されているタイプの缶の頸部１３周りに前記吊下リング５０を組み付けるための機械の装填器内部にそれら吊下リングを安定して積み重ねることができるように作られている。すなわち、各吊下リング５０の下側突起部５２は、積み重ねられた前記リングの中の直ぐ下に配置された別の吊下リング５０の外周上側チャネル５３の中に嵌め込まれるような幅および高さに寸法設定されている。下側突起部５２の前記嵌合は、囲繞壁５４の変形を伴わずに達成され、前記嵌合は、装填器の内部に積み重ねられ、または装填器に送り込むために積み重ねられた吊下リング５０の柱を安定させる手段としてのみ作用する。
【００５４】
図７に示されるように、保持リング４０は、各それぞれの蓋２０に合体した前記保持リング４０を、本明細書で考察されているタイプの既に充填された缶の頸部１３の周りに装着するための機械の装填器の内部に、それら保持リング４０を安定して積み重ねることができるように作られている。すなわち、保持リング４０の下側管状突起部４８が、それぞれの蓋２０にそれぞれが合体済みの積み重ねられた保持リング４０の中の第１の保持リングの下に配置された第２の保持リング４０の第１の上側突起部４６の上に着座し、前記第２の保持リング４０の第２の上側突起部４８が、前記第２の保持リング４０に合体した蓋２０の外周管状部分２２の下側領域に対する外側案内ストッパとして作用する。
【００５５】
本明細書には、本閉止および吊下機構の実施形態が１つのみ例示されているが、本開示に添付された特許請求の範囲に定義されている構造上の思想から逸脱することなく、構成部品の形態および配置に様々な変更を加えることができることを理解されたい。
【図１】
2015519266.tif 000003
【図２】
2015519266.tif 000004
【図２Ａ】
2015519266.tif 000005
【図２Ｂ】
2015519266.tif 000006
【図３】
2015519266.tif 000007
【図４】
2015519266.tif 000008
【図７】
2015519266.tif 000009
【国際調査報告】
2015519266.tif 000010
2015519266.tif 000011